(57)【要約】【課題】全画像領域のうちユーザが所望する所定領域のヒストグラムを表示させる。【解決手段】画像処理装置は、記録媒体から読み出された画像データに基づく表示用画像を表示する表示手段２０５と、表示用画像の表示倍率を変更して、拡大画像の表示を指示する拡大指示手段１０２、１０３と、表示手段２０５に表示される表示用画像の色情報を生成する色情報生成手段２００と、表示用画像を表示している表示手段２０５に、さらにその表示用画像の色情報を表示させる色情報表示指示手段１０４とを備え、拡大指示手段１０２、１０３が拡大画像の表示を指示したときに、色情報表示指示手段１０４は、拡大画像の色情報の表示を指示する。【選択図】図３
2010056621.tif 000002
【特許請求の範囲】
【請求項１】
記録媒体から読み出された画像データに基づく表示用画像を表示する表示手段と、
前記表示用画像の表示倍率を変更して、拡大画像の表示を指示する拡大指示手段と、
前記表示手段に表示される前記表示用画像の色情報を生成する色情報生成手段と、
前記表示用画像を表示している前記表示手段に、さらにその表示用画像の色情報を表示させる色情報表示指示手段とを備え、
前記拡大指示手段が前記拡大画像の表示を指示したときに、前記色情報表示指示手段は、前記拡大画像の色情報の表示を指示することを特徴とする画像処理装置。
【請求項２】
請求項１に記載の画像処理装置において、
前記画像データに対して色調整処理を施して色調整画像データを生成する色調整手段をさらに備え、
前記表示手段は、前記色調整画像データに基づく色調整画像を表示し、
前記色情報生成手段は、前記色調整画像の色情報を生成し、
前記拡大指示手段が前記色調整画像の表示倍率を変更して色調整拡大画像の表示を指示したときに、前記色情報表示手段は、前記色調整拡大画像の色情報を表示することを特徴とする画像処理装置。
【請求項３】
請求項１または２に記載の画像処理装置において、
前記画像データのうち、前記拡大画像の領域に対応するデータを用いて拡大画像データを生成する拡大画像生成手段をさらに備え、
前記拡大指示手段が前記拡大画像の表示を指示したときに、前記色情報生成手段は、前記拡大画像データを用いて前記拡大画像の前記色情報を生成することを特徴とする画像処理装置。
【請求項４】
請求項１乃至３のいずれか一項に記載の画像処理装置において、
前記色情報は輝度に対する画素の分布を示すことを特徴とする画像処理装置。
【請求項５】
被写体像を撮像して画像データを生成する撮像手段と、
前記画像データを記録媒体に記録する記録制御手段と、
請求項１乃至４のいずれか一項に記載の画像処理装置とを備えることを特徴とする電子カメラ。
【請求項６】
記録媒体から読み出された画像データに基づく表示用画像を表示器に表示する表示処理と、
前記表示用画像の表示倍率を変更して、拡大画像の表示を指示する拡大指示処理と、
前記表示器に表示される前記表示用画像の色情報を生成する色情報生成処理と、
前記表示用画像を表示している前記表示器に、さらにその表示用画像の色情報を表示させる色情報表示指示処理とを備え、
前記拡大指示処理により前記拡大画像の表示を指示されたときに、前記色情報表示指示処理は、前記拡大画像の色情報の表示を指示することを特徴とするコンピュータにより実行可能な画像処理プログラム。
【発明の詳細な説明】
【技術分野】
【０００１】
本発明は、表示中の画像のヒストグラムを表示する画像処理装置、電子カメラおよび画像処理プログラムに関する。
【背景技術】
【０００２】
従来から、再生表示中の画像の輝度レベルをヒストグラムとして液晶モニタに表示するデジタルカメラが知られている（たとえば特許文献１）。
【特許文献１】特開２００４−２０８０２８号公報
【発明の開示】
【発明が解決しようとする課題】
【０００３】
しかしながら、再生表示中の画像の全領域についてのヒストグラムを表示するので、全画像領域のうちユーザが所望する所定領域のヒストグラムを把握できないという問題がある。
【課題を解決するための手段】
【０００４】
請求項１の発明による画像処理装置は、記録媒体から読み出された画像データに基づく表示用画像を表示する表示手段と、表示用画像の表示倍率を変更して、拡大画像の表示を指示する拡大指示手段と、表示手段に表示される表示用画像の色情報を生成する色情報生成手段と、表示用画像を表示している表示手段に、さらにその表示用画像の色情報を表示させる色情報表示指示手段とを備え、拡大指示手段が拡大画像の表示を指示したときに、色情報表示指示手段は、拡大画像の色情報の表示を指示することを特徴とする。
【発明の効果】
【０００５】
本発明によれば、拡大画像の色情報を表示できる。
【発明を実施するための最良の形態】
【０００６】
本発明によるカメラの一実施の形態を図１〜図９を参照して説明する。電子カメラ１の正面図である図１（ａ）および背面図である図１（ｂ）に示すように、カメラボディ１０は、液晶モニタ２０５、再生ボタン１００、メニューボタン１０１、縮小ボタン１０２、拡大ボタン１０３、サブコマンドダイヤル１０４、コマンドダイヤル１０５、操作部材１０６、ＯＫボタン１０７、プロテクトボタン１０８および削除ボタン１０９を備える。
【０００７】
図２は、実施の形態による電子カメラ１の要部構成を説明する図である。カメラボディ１０には、撮影レンズ１２０を備えるレンズ鏡筒１１０が交換可能に装着されている。レンズ鏡筒１１０内には、レンズ群１２０ａ〜１２０ｃから成る撮影レンズ１２０、絞り１４０が設けられている。カメラボディ１０には、撮像素子２０、ペンタプリズム３０、測光センサ４０、接眼レンズ５０、焦点検出用センサ６０、クイックリターンミラー７０およびフォーカシングスクリーン９０が設けられている。
【０００８】
図３は電子カメラ１の制御系のブロック図である。図３において、図２に示した構成要素には同一の符号を付して説明する。電子カメラ１の制御系は、撮像素子２０、測光センサ４０、焦点検出用センサ６０、制御回路２００、Ａ／Ｄ変換回路２０１、画像処理回路２０２、Ａ／Ｄ変換回路２０３、圧縮／伸張回路２０４、液晶モニタ２０５、バッファメモリ２０６、記録媒体２０７を備えている。
【０００９】
図２を参照して説明すると、撮影レンズ１２０を通過して電子カメラ１に入射した被写体光は、シャッタレリーズ前は図２において実線で示すように位置するクイックリターンミラー７０で上方へ導かれてフォーカシングスクリーン９０に結像する。フォーカシングスクリーン９０上に結像された被写体像は、ペンタプリズム３０により接眼レンズ５０に導かれて撮影者に観察されるとともに、測光センサ４０にも導かれ、測光センサ４０の受光面に被写体像が再結像される。被写体光の一部はクイックリターンミラー７０の半透過領域を透過し、サブミラー７０ａにて下方に反射され、焦点検出用センサ６０へ入射される。
【００１０】
撮影の際（レリーズ後）には、クイックリターンミラー７０が被写体光の光路上から光路外（図２の破線部）へと移動し、被写体光が撮像素子２０へ導かれ、撮像素子２０上に被写体像が結像する。撮像素子２０は、受光した被写体光をその強度に応じた画像信号に変換するＣＣＤやＣＭＯＳなどの光電変換素子である。撮像素子２０の撮像面には、それぞれＲ（赤）、Ｇ（緑）およびＢ（青）のカラーフィルタが画素位置に対応するように設けられている。撮像素子２０がカラーフィルタを通して被写体像を撮像するため、各撮像素子から出力される画像信号は、それぞれＲＧＢ表色系の色情報を有する。
【００１１】
図３を参照して制御系について詳細に説明する。
撮像素子２０は、制御回路２００が出力するタイミング信号に応じて、撮像面に結像された被写体像に対応する信号電荷の蓄積および蓄積電荷の掃き出しを行い、アナログ画像信号を出力する。Ａ／Ｄ変換回路２０１は、撮像素子２０から出力されたアナログ画像信号をデジタル画像信号に変換して、画像処理回路２０２へ出力する。画像処理回路２０２では、入力されたデジタル画像信号に対して、ホワイトバランス調整、シャープネス調整、ガンマ補正、階調調整などの画像処理が施され、被写体像が撮像された画像データ（被写体画像データ）として制御回路２００へ出力される。
【００１２】
測光センサ４０は、撮像面に結像された被写体像に対応する信号電荷の蓄積および蓄積電荷の掃き出しを行い、アナログ画像信号（測光信号）を出力する。Ａ／Ｄ変換回路２０３は、測光センサ４０により得られて出力されたアナログ測光信号は、Ａ／Ｄ変換回路２０３によりデジタル測光信号に変換されて制御回路２００へ出力される。
【００１３】
焦点検出用センサ６０は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。ＣＣＤラインセンサから出力される焦点検出信号は制御回路２００に入力される。
【００１４】
制御回路２００はＣＰＵ、ＲＯＭ、ＲＡＭおよび各種周辺回路から構成され、電子カメラの制御を行なうマイクロコンピュータである。制御回路２００は、前述した焦点検出用センサ６０から出力された焦点検出信号に基づいて、デフォーカス量などの焦点調節状態の演算を行う。さらに、制御回路２００は、入力された測光信号に基づいて算出された被写体の輝度および撮像感度（ＩＳＯ感度）に基づいてシャッタスピードと絞り値を演算する。また、画像処理回路２０２から制御回路２００へ入力された画像データは、圧縮／伸張回路２０４に送出されＪＰＥＧ形式などの方式により圧縮される。そして、制御回路２００は、たとえば焦点調節が行われた領域（ＡＦエリア）、撮像感度、シャッタスピード等の撮影条件に関する各種情報を、たとえばＥＸＩＦ形式等の付加情報として上記の画像データに付加して、画像ファイルとしてバッファメモリ２０６または記録媒体２０７に記録する。
【００１５】
制御回路２００は、再生ボタン１００に対応する再生スイッチ１００ａからの操作信号を入力すると、電子カメラの動作モードを、たとえば再生モードと撮影モードとの間で切り換える。再生モードには、１画像再生モード、拡大再生モード等がある。後述するように、１画像再生モードは表示する画像データの画像の領域全体を液晶モニタ２０５に表示するモードである。拡大再生モードは、後述する縮小ボタン１０２または拡大ボタン１０３の操作に応じて拡大率の変更された、画像データの画像の領域全体のうちの一部の領域を表す拡大再生画像を液晶モニタ２０５に表示するモードである。
【００１６】
メニューボタン１０１に対応するメニュースイッチ１０１ａからの操作信号を入力すると、制御回路２００はカメラの各種動作を設定するためのメニュー画面を液晶モニタ２０５に表示する。液晶モニタ２０５は、液晶パネルおよびバックライト、表示制御部、表示用メモリ（ＶＲＡＭ）等を有する。液晶モニタ２０５には、制御回路２００の指令により画像処理回路２０２等で作成された画像データや、記録媒体２０７に記録された画像ファイルの画像データに対応する表示用画像が再生画像として表示される。
【００１７】
１画像再生モードにおいて画像データの画像全体を表す再生画像を表示中に縮小ボタン１０２が操作され、縮小スイッチ１０２ａから縮小指示信号が出力されると、制御回路２００は再生画像をサムネイル再生表示する。すなわち、制御回路２００は、それぞれの画像のサイズが、たとえば１２０ドット×１６０ドットにリサイズされたサムネイル画像を液晶モニタ２０５に一覧表示する。
【００１８】
拡大再生モードにおいて拡大ボタン１０３の操作により拡大率が変更された拡大再生画像が表示されている際には、縮小ボタン１０２が押下操作され縮小スイッチ１０２ａから縮小指示信号が出力されるたびに、制御回路２００は、表示中の再生画像を所定の縮小率ずつ縮小して液晶モニタ２０５に表示する。反対に、拡大ボタン１０３が押下操作され拡大スイッチ１０３ａから拡大指示信号が出力されるたびに、制御回路２００は、表示中の再生画像を所定の拡大率ずつ拡大して液晶モニタ２０５に表示する。
【００１９】
サブコマンドダイヤル１０４が操作され、スイッチ１０４ａから右方向操作信号または左方向操作信号が出力されると、制御回路２００は、再生画像の情報表示パターンの切り換えを行う。情報表示パターンには、後述するように、再生画像のハイライト表示、ＲＧＢヒストグラム表示、撮影情報表示等が含まれる。
【００２０】
撮影モードにおいてコマンドダイヤル１０５が操作されると、制御回路２００は、撮像感度や露出モードなどを設定する。また、再生画像表示中においては、コマンドダイヤル１０５の右方向操作に応じてスイッチ１０５ａから出力された右方向操作信号が入力されると、制御回路２００は次画像を液晶モニタ２０５に表示する。スイッチ１０５ａから左方向操作信号が入力されると、制御回路２００は液晶モニタ２０５に前画像を表示する。すなわち、コマンドダイヤル１０５が右方向に操作されると再生画像がコマ送りされ、左方向に操作されると再生画像がコマ戻しされる。
【００２１】
操作部材１０６は、たとえば十字キーなどで構成される。操作部材１０６の操作により、ユーザはメニュー画面上の各種メニューを選択できる。操作部材１０６の操作に応じてスイッチ１０６ａから上方向操作信号、下方向操作信号、右方向操作信号、左方向操作信号が出力される。１画像再生モードにおいては、操作部材１０６の左右方向操作により、コマンドダイヤル１０５と同様に再生画像のコマ送りもしくはコマ戻しを行うことができる。操作部材１０６の上下方向操作により、サブコマンドダイヤル１０４が操作された場合と同様に、情報表示パターンの選択を行うことができる。また、拡大再生モードにおいては、操作部材１０６の操作により拡大再生画像の中心位置が変位される。
【００２２】
ＯＫボタン１０７の操作に応じてＯＫスイッチ１０７ａから操作信号を入力すると、制御回路２００は、拡大再生モードによる拡大再生画像の表示を終了して、電子カメラ１の動作を１画像再生モードに戻す。１画像再生モードにおいてＯＫスイッチ１０７ａから操作信号を入力すると、制御回路２００は、画像編集等に関するメニュー画面（編集メニュー）を液晶モニタ２０５に表示する。ユーザは操作部材１０６の上下方向操作により、編集メニューの中から、後述する色調整のためのカラーカスタマイズモードを選択することができる。プロテクトボタン１０８は、表示中の再生画像の画像データを保護するためのプロテクト処理を行う際に用いられる。削除ボタン１０９は、制御回路２００がプロテクト処理のかけられていない画像データをバッファメモリ２０６および記録媒体２０７から削除するときに用いられる。
【００２３】
次に、画像の再生表示について説明する。上述したように、この実施の形態の電子カメラ１では、再生モードとして、１画像再生モードおよび拡大再生モードが設けられ、いずれか一方の再生モードにより、制御回路２００により画像が再生表示される。１画像再生モードは、制御回路２００により、表示する画像データの画像の領域全体を液晶モニタ２０５に表示するモードである。拡大再生モードは、液晶モニタ２０５上に１画像再生モードにおいて再生表示された画像の表示倍率に対して表示倍率を拡大し、表示する画像データの画像の領域全体のうちの一部の領域、すなわち表示中の画像の拡大率や中心座標を変更された拡大再生画像を表示するモードである。
【００２４】
−１画像再生モード−
再生ボタン１００の操作により設定された１画像再生モードにおいて、制御回路２００は、バッファメモリ２０６もしくは記録媒体２０７に記録された画像ファイルのファイル情報を取得し、その画像ファイルの画像データを読み出す。読み出された画像データは、圧縮／伸張回路２０４により原画像データに伸張されて、必要に応じて液晶モニタ２０５の表示解像度にリサイズされて作成された画像全体を表す再生画像が液晶モニタ２０５に表示される。なお、伸張された原画像データはバッファメモリ２０６に展開される。
【００２５】
−拡大再生モード−
１画像再生モードにて画像データの画像の領域全体を表す再生画像が表示されているときに拡大ボタン１０３が操作された場合に、拡大再生モードが設定される。このとき、制御回路２００はバッファメモリ２０６に展開されている原画像データに対して、その再生画像の表示中心位置（中心座標）を拡大のための中心（拡大中心位置）として、拡大ボタン１０３の操作により設定された拡大率に応じた領域をトリミングする。制御回路２００は、トリミングした領域を液晶モニタ２０５の表示解像度に合わせてリサイズして拡大画像データを生成する。そして、制御回路２００は、生成した拡大画像データに対応する再生画像（拡大再生画像）を液晶モニタ２０５に表示する。その結果、図４(ａ)に示す中心座標をＸとする再生画像Ｂ１が、中心座標Ｘを拡大中心位置として拡大率が一段引上げられ、図４（ｂ）に示す拡大再生画像Ｂ２が表示される。さらに拡大ボタン１０３が操作されると、制御回路２００は、原画像データの中心座標を拡大中心位置として、拡大率が一段引き上げられた拡大画像データを生成し、拡大再生画像を液晶モニタ２０５に表示する。さらに、制御回路２００は、この時の拡大率と拡大中心位置の座標とを画像データに対応付けてバッファメモリ２０６に記録する。
【００２６】
拡大再生画像の表示中に縮小ボタン１０２が操作されると、制御回路２００は、原画像データの中心座標を拡大中心位置とし、拡大率が一段引き下げられた拡大画像データを作成し、液晶モニタ２０５に拡大再生画像として表示する。この場合も、制御回路２００は、この時の拡大率と拡大中心位置の座標とを画像データに対応付けてバッファメモリ２０６に記録する。
【００２７】
上述したように、拡大再生画像が表示されている時に、操作部材１０６の操作により拡大再生画像の中心、すなわち拡大中心位置が変位されると、制御回路２００は次のようにして拡大画像データを生成する。操作部材１０６が操作され、スイッチ１０６ａから入力した上下左右方向の操作信号に応じて、制御回路２００は、拡大画像データ上のＶ方向とＨ方向に対する拡大中心位置の移動量を算出する。そして、制御回路２００は、算出した移動量と表示中の拡大再生画像の拡大中心位置の座標とに基づいて、新たに拡大中心位置の座標を算出する。
【００２８】
制御回路２００は、バッファメモリ２０６に記録されている原画像データを用いて、上記のようにして算出した座標を変位後の拡大中心位置として現在の拡大率で拡大した拡大画像データを生成する。そして、制御回路２００は、液晶モニタ２０５に拡大中心位置が変位された拡大再生画像を表示する。図４（ｃ）に示す拡大再生画像Ｂ３は、上記のようにして図４（ｂ）の拡大再生画像Ｂ２の拡大中心位置ＸをＹに変位した場合の一例である。この時、制御回路２００は、変位後の拡大中心位置の座標を拡大率とともにバッファメモリ２０６に画像データと対応付けて記録する。
【００２９】
以後、縮小ボタン１０２または拡大ボタン１０３の操作により、拡大再生画像が縮小もしくは拡大される場合には、変位された拡大中心位置を中心として表示される画像データの拡大率が変更される。そして、制御回路２００は、拡大率もしくは拡大中心位置が更新されるごとに、画像データの拡大率と拡大中心位置の座標とを画像データに対応付けてバッファメモリ２０６に記録する。
【００３０】
拡大再生モードで拡大再生画像が表示されている場合に、縮小ボタン１０２、拡大ボタン１０３による縮小、拡大操作、または操作部材１０６による液晶モニタ２０５上の再生画像に対する上下左右方向への移動操作が行われると、制御回路２００はナビ画面３００を表示する。図４（ｂ）、（ｃ）に示すように、ナビ画面３００は再生画像の全体を表す縮小画像であり、液晶モニタ２０５の所定の小領域に、拡大表示中の再生画像に半透過もしくは透過状態で重畳して表示される。ナビ画面３００内の枠３０１は、拡大表示中の再生画像が、再生画像全体に対して占有する位置を示すものである。なお、ナビ画面３００は縮小ボタン１０２、拡大ボタン１０３および操作部材１０６の操作後、所定時間、たとえば２秒間だけ表示される。
【００３１】
次に、情報表示パターンについて説明する。情報表示パターンには以下の（１）〜（３）の表示形式が含まれる。
（１）撮影情報表示
（２）ハイライト表示
（３）ＲＧＢヒストグラム表示
（４）統合表示
【００３２】
操作部材１０６が上下方向操作されるごと、またはサブコマンドダイヤル１０４が操作されるごとに、再生画像と情報表示パターン（１）〜（４）との間で表示の切り換えを行うことができる。制御回路２００は、操作信号を入力するごとに、たとえば再生画像→撮影条件表示→ハイライト表示→ＲＧＢヒストグラム表示→統合表示→再生画像→・・・の順序で液晶モニタ２０５の表示を切り換える。
【００３３】
（１）撮影情報表示
撮影情報表示においては、画像データが取得された際の焦点調節が行われた領域（ＡＦエリア）、撮像感度、シャッタ速度等の撮影条件に関する情報が液晶モニタ２０５に表示される。この場合、制御回路２００は、画像ファイルの付加情報から撮影条件に関係するデータを参照して情報表示用データを作成し、対応する撮影情報を液晶モニタ２０５に表示する。
【００３４】
（２）ハイライト表示
ハイライト表示においては、再生画像のうち輝度値が所定値以上の領域、すなわちハイライトの領域が点滅表示される。
【００３５】
（３）ＲＧＢヒストグラム表示
図５に示すように、再生画像の色情報として、輝度（Ｙ）、およびＲ（赤）、Ｇ（緑）、Ｂ（青）各色のヒストグラム（度数分布）が液晶モニタ２０５上の再生画像が表示される領域とは異なる領域に表示される。図４（ａ）に示す再生画像Ｂ１が表示されているときにＲＧＢヒストグラム表示が指示されると、制御回路２００は、再生画像Ｂ１の縮小画像Ｂ１ｓを液晶モニタ２０５上の表示領域Ｒ１に表示させる。
【００３６】
制御回路２００は、再生画像Ｂ１に対応する画像データ、すなわち原画像データを用いて、全画素の輝度およびＲ，Ｇ，Ｂの各色のそれぞれについての度数分布を算出する。そして、制御回路２００は、算出した度数分布に基づいて、輝度およびＲ，Ｇ，Ｂ各色のそれぞれについてのヒストグラムを表す表示用データを作成し、表示用データに対応するヒストグラムを液晶モニタ２０５に表示する。その結果、図５（ａ）に示すように、再生画像全体の輝度分布を示すヒストグラムが、液晶モニタ２０５上の表示領域Ｒ２に表示される。再生画像全体のＲ色のヒストグラムは液晶モニタ２０５の表示領域Ｒ３に、Ｇ色のヒストグラムは表示領域Ｒ４に、Ｂ色のヒストグラムは表示領域Ｒ５に表示される。
【００３７】
図５（ａ）に示すＲＧＢヒストグラム表示がされているときに、拡大ボタン１０３が操作されたものとする。スイッチ１０３ａから拡大指示信号を入力すると、制御回路２００は、上述したように、拡大ボタン１０３の操作により設定された拡大率に応じた領域を原画像データからトリミングして、拡大画像データを生成する。そして、制御回路２００は、作成した拡大画像データに対応する拡大再生画像Ｂ２の縮小画像Ｂ２ｓを、図５（ｂ）に示すように液晶モニタ２０５の表示領域Ｒ１に表示させる。
【００３８】
制御回路２００は、作成した拡大画像データを用いて、拡大再生画像Ｂ２に含まれる画素を検出し、検出された画素の輝度およびＲ，Ｇ，Ｂの各色のそれぞれについての度数分布を算出する。そして、制御回路２００は、算出した度数分布に基づいて、輝度およびＲ，Ｇ，Ｂ各色のそれぞれについてのヒストグラムを表す表示用データを作成し、表示用データに対応するヒストグラムを液晶モニタ２０５に表示する。その結果、図５（ｂ）に示すように、拡大再生画像Ｂ２の輝度分布を示すヒストグラムが液晶モニタ２０５上の表示領域Ｒ２に、拡大再生画像Ｂ２のＲ色のヒストグラムは液晶モニタ２０５の表示領域Ｒ３に、Ｇ色のヒストグラムは表示領域Ｒ４に、Ｂ色のヒストグラムは表示領域Ｒ５に表示される。さらに、制御回路２００は、液晶モニタ２０５の表示領域Ｒ６にナビ表示をする。図５（ｂ）に示すように、ナビ表示は再生画像Ｂ１の全体を表す縮小画像である。
【００３９】
以後、縮小ボタン１０２または拡大ボタン１０３の操作により、拡大再生画像が縮小もしくは拡大されるごとに、制御回路２００は、拡大画像データを生成し、対応する拡大再生画像の縮小画像を表示領域Ｒ１に表示する。そして、制御回路２００は、生成した拡大画像データを用いて、輝度およびＲ，Ｇ，Ｂ各色のそれぞれについてのヒストグラムを表す表示用データを作成し、表示用データに対応するヒストグラムを液晶モニタ２０５の表示領域Ｒ２〜Ｒ５にそれぞれ表示する。
【００４０】
（４）統合表示
統合表示においては、上述した撮影情報表示、ハイライト表示およびＲＧＢヒストグラム表示の全てが液晶モニタ２０５に表示される。統合表示の場合でも、縮小ボタン１０２または拡大ボタン１０３の操作により、拡大再生画像が縮小もしくは拡大されるごとに、制御回路２００は、生成した拡大画像データを用いて、輝度およびＲ，Ｇ，Ｂ各色のそれぞれについてのヒストグラムを表示する。
【００４１】
次に、カラーカスタマイズモードについて説明する。カラーカスタマイズモードにおいては、ユーザは、再生画像の色味、すなわちＲ，Ｇ，Ｂの各色を調整するとともに、調整が施された再生画像を確認できる。さらに、色調整が施された再生画像を記録媒体２０７に記録できる。ユーザにより上述した編集メニューからカラーカスタマイズモードが選択されると、制御回路２００は、図６に示す色編集画面を液晶モニタ２０５に表示する。
【００４２】
図６（ａ）の色編集画面における表示領域Ｒ１〜Ｒ５には、上述したＲＧＢヒストグラム表示画面の場合と同様に、それぞれ再生画像、再生画像全体の輝度分布を示すヒストグラム、Ｒ色のヒストグラム、Ｇ色のヒストグラム、Ｂ色のヒストグラムが表示される。表示領域Ｒ７には、Ｒ，Ｇ，Ｂの各色の調整状態を示すカーソルＣＲが表示される。ユーザによるメニューボタン１０１を押下操作しながら操作部材１０６の上下左右方向操作（色調整操作）に応じて出力される色調整操作信号を入力すると、制御回路２００は、原画像データのＲ、Ｇ、Ｂの各色成分のパラメータを変更する。すなわち、制御回路２００は、右方向に色変更操作が行われると、再生画像のＲ色成分が濃く、かつＧ色成分が薄くなるように原画像データのパラメータを変更する。色調整操作が左方向へ行われると、制御回路２００は、Ｒ色成分が薄く、かつＧ色成分が濃くなるようにパラメータを変更する。さらに、制御回路２００は、色調整操作が下方向の場合は、Ｂ色成分が濃くなるようにＢ色成分のパラメータを変更し、色調整操作が上方向の場合は、Ｂ色成分が薄くなるようにＢ色成分のパラメータを変更する。このとき、制御回路２００は、色調整操作の方向と操作量に応じて、カーソルＣＲを表示領域Ｒ７の範囲内で移動させる。
【００４３】
上述したようにして色調整操作が行われると、制御回路２００は、原画像データのＲ，Ｇ，Ｂ各色成分のパラメータを変更した新たな画像データ（色調整画像データ）を生成する。そして、制御回路２００は、色調整画像データに対応する再生画像ＢＣ１（色調整再生画像）の縮小画像ＢＣ１ｓを表示領域Ｒ１に表示させる。さらに、制御回路２００は、色調整画像データを用いて、全画素の輝度およびＲ，Ｇ，Ｂの各色のそれぞれについての度数分布を算出する。そして、制御回路２００は、算出した度数分布に基づいて、輝度およびＲ，Ｇ，Ｂ各色のそれぞれについてのヒストグラムを表す表示用データを作成し、表示用データに対応するヒストグラムを液晶モニタ２０５に表示する。その結果、色調整再生画像全体の輝度分布を示すヒストグラムが、液晶モニタ２０５上の表示領域Ｒ２に表示される。また、色調整再生画像全体のＲ色のヒストグラムは液晶モニタ２０５の表示領域Ｒ３に、Ｇ色のヒストグラムは表示領域Ｒ４に、Ｂ色のヒストグラムは表示領域Ｒ５に表示される。
【００４４】
図６（ａ）に示す色編集画面がされているときに、拡大ボタン１０３が操作されたものとする。スイッチ１０３ａから拡大指示信号を入力すると、ＲＧＢヒストグラム表示における場合と同様にして、制御回路２００は、拡大再生画像Ｂ２の縮小画像Ｂ２ｓを、液晶モニタ２０５の表示領域Ｒ１に表示させる。さらに、制御回路２００は、作成した拡大画像データを用いて、拡大再生画像Ｂ２に含まれる画素を検出し、検出された画素の輝度およびＲ，Ｇ，Ｂの各色のそれぞれについての度数分布を算出する。そして、制御回路２００は、算出した度数分布に基づいて、輝度およびＲ，Ｇ，Ｂ各色のそれぞれについてのヒストグラムを表す表示用データを作成し、表示用データに対応するヒストグラムを液晶モニタ２０５に表示する。すなわち、拡大再生画像Ｂ２の輝度分布を示すヒストグラムが液晶モニタ２０５上の表示領域Ｒ２に、拡大再生画像Ｂ２のＲ色のヒストグラムは液晶モニタ２０５の表示領域Ｒ３に、Ｇ色のヒストグラムは表示領域Ｒ４に、Ｂ色のヒストグラムは表示領域Ｒ５に表示される。さらに、制御回路２００は、液晶モニタ２０５の表示領域Ｒ６にナビ表示をする。図６（ｂ）に示すように、ナビ表示は再生画像Ｂ１の全体を表す縮小画像である。
【００４５】
拡大再生画像Ｂ２の縮小画像Ｂ２ｓが表示領域Ｒ１に表示されているときに、色調整操作が行われると、制御回路２００は、色調整操作に応じて、原画像データのＲ，Ｇ，Ｂ各色のパラメータを変更して色調整画像データを生成する。制御回路２００は、色調整画像データから拡大再生画像Ｂ２の拡大率に応じた領域をトリミングして、トリミングした領域を液晶モニタ２０５の表示解像度に合わせてリサイズして色調整拡大画像データを生成する。そして、制御回路２００は、色調整拡大画像データに対応する再生画像（色調整拡大再生画像）の縮小画像ＢＣ２ｓを表示領域Ｒ１に表示させる。さらに、制御回路２００は、色調整拡大画像データを用いて、全画素の輝度およびＲ，Ｇ，Ｂの各色のそれぞれについての度数分布を算出する。そして、制御回路２００は、算出した度数分布に基づいて、輝度およびＲ，Ｇ，Ｂ各色のそれぞれについてのヒストグラムを表す表示用データを作成し、表示用データに対応するヒストグラムを液晶モニタ２０５に表示する。その結果、色調整拡大再生画像の輝度分布を示すヒストグラムが、液晶モニタ２０５上の表示領域Ｒ２に表示される。また、色調整拡大画像のＲ色のヒストグラムは液晶モニタ２０５の表示領域Ｒ３に、Ｇ色のヒストグラムは表示領域Ｒ４に、Ｂ色のヒストグラムは表示領域Ｒ５に表示される。
【００４６】
色調整再生画像または色調整拡大再生画像が表示領域Ｒ１に表示されているときに、ユーザによりＯＫボタン１０７が操作されると、色調整操作が反映された画像が記録される。すなわち、制御回路２００は、ＯＫスイッチ１０７ａから操作信号を入力すると、色調整画像データまたは色調整拡大画像データを記録媒体２０７に記録する。
【００４７】
次に、図７〜図９に示すフローチャートを用いて、実施の形態によるカメラの再生画像表示の動作における各処理について説明する。なお、このフローチャートに示す各処理は、制御回路２００によりプログラムを実行して行われる。また、このフローチャートは再生スイッチ１００ａから操作信号が入力されると開始される。
【００４８】
ステップＳ１０１において、画像ファイルのファイル情報を取得してステップＳ１０２へ進む。ステップＳ１０２においては、ステップＳ１０１で取得した画像ファイルの画像データをバッファメモリ２０６または記録媒体２０７から読み出してステップＳ１０３へ進む。
【００４９】
ステップＳ１０３において、圧縮／伸張回路２０４により、ステップＳ１０２で読み出した画像データを原画像データに伸張し、バッファメモリ２０６に展開してステップＳ１０４へ進む。ステップＳ１０４では、選択されている情報表示パターンを確認してステップＳ１０５へ進む。
【００５０】
ステップＳ１０５では、ステップＳ１０３で伸張された画像データに対応する再生画像を液晶モニタ２０５に表示してステップＳ１０６へ進む。ステップＳ１０６において、再生ボタン１００が操作されたか否かを判定する。再生スイッチ１００ａから操作信号を入力した場合は、ステップＳ１０６が肯定判定されてステップＳ１０７へ進む。ステップＳ１０７では、１画像再生モードを終了し、さらに液晶モニタ２０５をオフして一連の処理を終了する。再生スイッチ１００ａから操作信号を入力しない場合は、ステップＳ１０６が否定判定されてステップＳ１０８へ進む。
【００５１】
ステップＳ１０８においては、メニューボタン１０１が操作されたか否かを判定する。メニュースイッチ１０１ａから操作信号を入力した場合は、ステップＳ１０８が肯定判定されてステップＳ１０９へ進む。ステップＳ１０９においては、１画像再生モードを終了するとともに、液晶モニタ２０５に各種設定を行なうためのメニュー画面を表示して一連の処理を終了する。メニュースイッチ１０１ａから操作信号を入力しない場合は、ステップＳ１０８が否定判定されてステップＳ１１０へ進む。
【００５２】
ステップＳ１１０においては、拡大ボタン１０３が操作されたか否かを判定する。拡大スイッチ１０３ａから拡大指示信号を入力した場合は、ステップＳ１１０が肯定判定されてステップＳ１１１へ進む。ステップＳ１１１においては、後述の拡大再生のサブルーチンを呼び出し、拡大再生処理を行う。拡大スイッチ１０３ａから拡大指示信号を入力しない場合は、ステップＳ１１０が否定判定されてステップＳ１１２へ進む。
【００５３】
ステップＳ１１２では、縮小ボタン１０２が操作されたか否かを判定する。縮小スイッチ１０２ａから縮小指示信号を入力した場合は、ステップＳ１１２が肯定判定されてステップＳ１１３へ進む。ステップＳ１１３においては、液晶モニタ２０５に再生画像をサムネイル表示する。縮小スイッチ１０２ａから縮小指示信号を入力しない場合は、ステップＳ１１２が否定判定されてステップＳ１１４へ進む。
【００５４】
ステップＳ１１４では、削除ボタン１０９が操作されたか否かを判定する。削除スイッチ１０９ａから操作信号を入力した場合は、ステップＳ１１４が肯定判定されてステップＳ１１５へ進み、表示中の再生画像の画像データをバッファメモリ２０６もしくは記録媒体２０７から削除するための処理を行う。削除スイッチ１０９ａから操作信号を入力しない場合は、ステップＳ１１４が否定判定されてステップＳ１１６へ進む。
【００５５】
ステップＳ１１６においては、プロテクトボタン１０８が操作されたか否かを判定する。プロテクトスイッチ１０８ａから操作信号を入力した場合は、ステップＳ１１６が肯定判定されてステップＳ１１７へ進み、表示中の再生画像の画像データを保護するためのプロテクト処理を行う。プロテクトスイッチ１０８ａから操作信号を入力しない場合は、ステップＳ１１６が否定判定されてステップＳ１１８へ進む。
【００５６】
ステップＳ１１８においては、コマンドダイヤル１０５の右方向操作もしくは操作部材１０６の右ボタンが操作されたか否かを判定する。スイッチ１０５ａもしくはスイッチ１０６ａから右方向操作信号を入力した場合は、ステップＳ１１８が肯定判定されてステップＳ１１９へ進む。ステップＳ１１９では、液晶モニタ２０５に表示中の再生画像の次コマの画像ファイルの情報を取得してステップＳ１２２へ進む。スイッチ１０５ａもしくはスイッチ１０６ａから右方向操作信号を入力しない場合は、ステップＳ１１８が否定判定されてステップＳ１２０へ進む。
【００５７】
ステップＳ１２０においては、コマンドダイヤル１０５の左方向操作もしくは操作部材１０６の左ボタンが操作されたか否かを判定する。スイッチ１０５ａもしくはスイッチ１０６ａから左方向操作信号を入力した場合は、ステップＳ１２０が肯定判定されてステップＳ１２１へ進む。
【００５８】
ステップＳ１２１では、液晶モニタ２０５に表示中の再生画像の前コマの画像ファイルの情報を取得してステップＳ１２２へ進む。ステップＳ１２２では、現在表示中の再生画像に対応する画像データに対して、拡大位置フラグｉが１に設定されているか否かを判定する。拡大位置フラグｉが１の場合は、ステップＳ１２２が肯定判定されてステップＳ１２３へ進み、拡大位置フラグｉを０にリセットしてステップＳ１０２へ戻る。拡大位置フラグｉが０の場合は、ステップＳ１２２が否定判定されてステップＳ１０２へ戻る。
【００５９】
スイッチ１０５ａもしくはスイッチ１０６ａから左方向操作信号を入力しない場合は、ステップＳ１２０が否定判定されてステップＳ１２４へ進む。ステップＳ１２４では、サブコマンドダイヤル１０４の操作もしくは操作部材１０６の上下方向操作が行われたか否かを判定する。スイッチ１０４ａからの操作信号もしくはスイッチ１０６ａからの上方向操作信号または下方向操作信号を入力した場合は、ステップＳ１２４が肯定判定されてステップＳ１２５へ進む。ステップＳ１２５においては、情報表示パターンの設定を切り換えてステップＳ１０４へ戻る。スイッチ１０４ａからの操作信号もしくはスイッチ１０６ａからの上方向操作信号または下方向操作信号を入力しない場合は、ステップＳ１２４が否定判定されてステップＳ１２６へ進む。
【００６０】
ステップＳ１２６では、ＯＫボタン１０７が操作されたか否かを判定する。ＯＫスイッチ１０７ａから操作信号を入力した場合は、ステップＳ１２６が肯定判定されて、液晶モニタ２０５に画像編集のためのメニュー画面を表示させてステップＳ１２７へ進む。ＯＫスイッチ１０７ａから操作信号を入力しない場合は、ステップＳ１２６が否定判定されてステップＳ１０２へ戻る。
【００６１】
ステップＳ１２７では、画像編集のためのメニュー画面からカラーカスタマイズが選択されたか否かを判定する。ユーザによりカラーカスタマイズが選択された場合には、ステップＳ１２７が肯定判定されて、ステップＳ１２８へ進む。ステップＳ１２８では、カラーカスタマイズ処理を行う。このカラーカスタマイズ処理の詳細については、詳細を後述する。カラーカスタマイズが選択されない場合には、ステップＳ１２７が否定判定されてステップＳ１２９へ進む。ステップＳ１２９においては、カラーカスタマイズ処理以外の画像編集に関する各種の処理（たとえば、赤目補正や画像合成など）を施す。
【００６２】
図７のステップＳ１１１における拡大再生のサブルーチンについて、図８に示すフローチャートを用いて説明する。
ステップＳ２０１において、画像データを読み出してステップＳ２０２へ進む。ステップＳ２０２では、ステップＳ２０１で読み出した画像データをバッファメモリ２０６に展開してステップＳ２０３へ進む。
【００６３】
ステップＳ２０３においては、拡大位置フラグｉが１であるか否かを判定する。拡大位置フラグｉが１の場合は、ステップＳ２０３が肯定判定されてステップＳ２０４へ進む。拡大位置フラグｉが０の場合は、ステップＳ２０３が否定判定されてステップＳ２０５へ進む。
【００６４】
ステップＳ２０４において、拡大再生画像データの拡大中心位置を保持したまま、拡大率を初期化してステップＳ２０６へ進む。ステップＳ２０５においては、再生用画像データの拡大率を初期化し、原画像データの中心座標を拡大中心位置としてステップＳ２０６へ進む。
【００６５】
ステップＳ２０６においては、情報表示パターンとしてＲＧＢヒストグラムが選択されているか否かを判定する。ＲＧＢヒストグラムが選択されている場合には、ステップＳ２０６が肯定判定されてステップＳ２０７へ進む。ステップＳ２０７においては、拡大表示される領域に対応する拡大画像データを用いて、Ｙ，Ｒ，Ｇ，Ｂそれぞれについて上述したようにしてヒストグラムを作成し、液晶モニタ２０５に表示してステップＳ２０８へ進む。ＲＧＢヒストグラムが選択されていない場合は、ステップＳ２０６は否定判定されてステップＳ２０８へ進む。
【００６６】
ステップＳ２０８では、バッファメモリ２０６に記録されている拡大中心位置もしくはステップＳ２０５において初期化された拡大中心位置、すなわち原画像データの中心座標を中心として拡大率を一段引上げた拡大再生画像を液晶モニタ２０５に表示してステップＳ２０９へ進む。ステップＳ２０９（再生ボタン操作判定）においては、ステップＳ１０６（再生ボタン操作判定）と同様の判定処理を行う。ステップＳ２０９が肯定判定されるとステップＳ２１０へ進み、拡大位置フラグｉを０に設定してステップＳ２１２へ進む。ステップＳ２１２では、ステップＳ１０７と同様に再生モードを終了し、液晶モニタ２０５をオフして処理を終了する。
【００６７】
ステップＳ２０９が否定判定されるとステップＳ２１１へ進み、ステップＳ１０８と同様にメニューボタン１０１の操作の有無を判定する。メニューボタン１０１が操作された場合は、ステップＳ２１１が肯定判定されてステップＳ２１３へ進む。ステップＳ２１３では、ステップＳ２１０と同様に拡大位置フラグｉを０に設定してステップＳ２１４へ進む。ステップＳ２１４では、ステップＳ１０９と同様に再生モードを終了し、液晶モニタ２０５にメニュー画面を表示させて処理を終了する。メニューボタン１１２が操作されない場合は、ステップＳ２１１が否定判定されてステップＳ２１５へ進む。
【００６８】
ステップＳ２１５において、拡大ボタン１０３が操作されたか否かを判定する。拡大スイッチ１０３ａから拡大指示信号を入力した場合は、ステップＳ２１５が肯定判定されてステップＳ２１６へ進む。ステップＳ２１６では、拡大再生画像データの拡大率を一段引き上げてステップＳ２２２へ進む。拡大スイッチ１０３ａから拡大指示信号を入力しない場合は、ステップＳ２１５が否定判定されてステップＳ２１７へ進む。
【００６９】
ステップＳ２１７においては、縮小ボタン１０２が操作されたか否かを判定する。縮小スイッチ１０２ａから縮小指示信号を入力した場合は、ステップＳ２１７が肯定判定されてステップＳ２１８へ進む。縮小スイッチ１０２ａから縮小指示信号を入力しない場合は、ステップＳ２１７が否定判定されてステップＳ２１９へ進む。
【００７０】
ステップＳ２１８では、バッファメモリ２０６に記録された拡大率を参照して、表示用画像の倍率が等倍、すなわち１画像再生か否かを判定する。等倍の場合はステップＳ２１８が肯定判定されてステップＳ２２０へ進む。等倍ではない場合は、ステップＳ２１８が否定判定されてステップＳ２２１へ進む。
【００７１】
ステップＳ２２０においては、拡大再生画像データに対して拡大位置フラグｉを１に設定して、図７のステップＳ１０５へ戻る。ステップＳ２２１では、拡大再生画像データの拡大率を一段引き下げてステップＳ２２２へ進む。ステップＳ２２２では、拡大再生画像データの拡大率をバッファメモリ２０６に記録してステップＳ２０７へ戻る。
【００７２】
ステップＳ２１９においては、ＯＫボタン１０７が操作されたか否かを判定する。ＯＫスイッチ１０７ａから操作信号を入力した場合は、ステップＳ２１９が肯定判定されてステップＳ２２３へ進む。ステップＳ２２３では、拡大再生画像データに対する拡大位置フラグｉを０に設定して、図７のステップＳ１０５に戻る。ＯＫスイッチ１０７ａから操作信号を入力しない場合は、ステップＳ２１９が否定判定されてステップＳ２２４へ進む。
【００７３】
ステップＳ２２４では、ステップＳ１１４と同様に削除ボタン１０９の操作の有無を判定する。削除ボタン１０９が操作された場合は、ステップＳ２２４が肯定判定されてステップＳ２２５へ進む。ステップＳ２２５では拡大位置フラグｉを０に設定してステップＳ２２６へ進み、ステップＳ１１５と同様に削除処理を行う。削除ボタン１０９が操作されない場合は、ステップＳ２２４が否定判定されてステップＳ２２７へ進む。ステップＳ２２７（プロテクトボタン操作判定）およびステップＳ２２８（画像プロテクト処理）の各処理は、ステップＳ１１６（プロテクトボタン操作判定）およびステップＳ１１７（画像プロテクト処理）の各処理と同様の処理を行う。ステップＳ２２９においては、操作部材１０６が操作されたか否かを判定する。スイッチ１０６ａから操作信号を入力した場合は、ステップＳ２２９が肯定判定されてステップＳ２３０へ進む。スイッチ１０６ａから操作信号を入力しない場合は、ステップＳ２２９が否定判定されてステップＳ２３１へ進む。
【００７４】
ステップＳ２３０では、操作部材１０６の操作方向に応じて拡大再生画像データの拡大中心位置を移動してステップＳ２３２へ進む。ステップＳ２３２においては、ステップＳ２３０で移動した拡大中心位置をバッファメモリ２０６に記録してステップＳ２０７へ戻る。
【００７５】
ステップＳ２３１では、コマンドダイヤル１０５が右方向へ操作されたか否かを判定する。スイッチ１０５ａから右方向操作信号を入力した場合は、ステップＳ２３１が肯定判定されてステップＳ２３３へ進み、液晶モニタ２０５に表示中の再生画像の次コマの画像ファイルの情報を取得してステップＳ２０１へ戻る。スイッチ１０５ａから右方向操作信号を入力しない場合は、ステップＳ２３１が否定判定されてステップＳ２３４へ進む。
【００７６】
ステップＳ２３４においては、コマンドダイヤル１０５が左方向へ操作されたか否かを判定する。スイッチ１０５ａから左方向操作信号を入力した場合は、ステップＳ２３４が肯定判定されてステップＳ２３５へ進み、液晶モニタ２０５に表示中の再生画像の前コマの画像ファイルの情報を取得してステップＳ２０１へ戻る。スイッチ１０５ａから左方向操作信号を入力しない場合は、ステップＳ２３４が否定判定されてステップＳ２３６へ進む。
【００７７】
ステップＳ２３６においては、サブコマンドダイヤル１０４が操作されたか否かを判定する。スイッチ１０４ａから操作信号を入力した場合は、ステップＳ２３６が肯定判定されてステップＳ２３７へ進む。ステップＳ２３７においては、上述したように情報表示パターンの設定を切り換えてステップＳ２０６へ戻る。スイッチ１０４ａから操作信号を入力しない場合には、ステップＳ２３６が否定判定されてステップＳ２０１へ戻る。
【００７８】
図７のステップＳ１２８におけるカラーカスタマイズ処理のサブルーチンについて、図９に示すフローチャートを用いて説明する。
ステップＳ３０１において、液晶モニタ２０５に色編集画面を表示してステップＳ３０２へ進む。ステップＳ３０２では、色調整操作が行われたか否かを判定する。色調整操作信号を入力した場合は、ステップＳ３０２が肯定判定されてステップＳ３０３へ進む。色調整操作信号を入力しない場合は、ステップＳ３０２が否定判定されてステップＳ３０５へ進む。
【００７９】
ステップＳ３０３においては、色調整操作の操作量に応じて原画像データのＲ，Ｇ，Ｂの各色成分のパラメータを変更して、色調整画像データ／色調整拡大画像データを生成する。なお、後述するステップＳ３０５〜Ｓ３０８の処理を行い、かつステップＳ３０９が否定判定されてステップＳ３０３に進んだ場合は、色調整拡大画像データを生成する。生成した色調整画像データ／色調整拡大画像データに対応する色調整再生画像／色調整拡大画像の縮小画像を色編集画面の表示領域Ｒ１に表示してステップＳ３０４へ進む。
【００８０】
ステップＳ３０４においては、ステップＳ３０３で生成した色調整画像データ／色調整拡大画像データを用いて輝度、Ｒ色、Ｇ色およびＢ色についてのヒストグラムを作成し、色編集画面の表示領域Ｒ２〜Ｒ５に表示してステップＳ３０５へ進む。ステップＳ３０５では、拡大率の変更操作が行われたか否かを判定する。拡大スイッチ１０３ａから拡大指示信号、もしくは縮小スイッチ１０２ａから縮小指示信号を入力した場合は、ステップＳ３０５が肯定判定されてステップＳ３０６へ進む。拡大スイッチ１０３ａから拡大指示信号、および縮小スイッチ１０２ａから縮小指示信号を入力しない場合は、ステップＳ３０５が否定判定されてステップＳ３０９へ進む。
【００８１】
ステップＳ３０６においては、変更された拡大率に応じて原画像データをトリミングして拡大画像データを生成する。生成した拡大画像データに対応する拡大再生画像の縮小画像を色編集画面の表示領域Ｒ１に表示してステップＳ３０７へ進む。ステップＳ３０７では、ステップＳ３０６で生成した拡大画像データを用いて、輝度、Ｒ色、Ｇ色およびＢ色についてのヒストグラムを作成し、色編集画面の表示領域Ｒ２〜Ｒ５に表示してステップＳ３０８へ進む。
【００８２】
ステップＳ３０８では、色編集画面の表示領域Ｒ６にナビ表示をしてステップＳ３０９へ進む。ステップＳ３０９では、ＯＫボタン１０７が操作されたか否かを判定する。ＯＫスイッチ１０７ａから操作信号を入力した場合は、ステップＳ３０９が肯定判定されてステップＳ３１０へ進む。ステップＳ３１０では、色調整画像データを記録媒体２０７へ記録して処理を終了する。ＯＫスイッチ１０７ａから操作信号を入力しない場合は、ステップＳ３０９が否定判定されてステップＳ３０２へ戻る。
【００８３】
以上で説明した実施の形態の電子カメラによれば、以下の作用効果が得られる。
（１）制御回路２００は、ＲＧＢヒストグラム表示を行う際には、原画像データを用いて輝度、Ｒ，Ｇ，Ｂ各色のヒストグラムを生成して表示する。さらに、拡大ボタン１０３が操作され拡大再生画像の表示が指示されると、制御回路２００は拡大再生画像の輝度、Ｒ，Ｇ，Ｂ各色のヒストグラムを生成して表示するようにした。したがって、ユーザは、再生画像のうちの所望する領域の色分布を確認できるので、画像の編集等を行う際の利便性が向上する。
【００８４】
（２）カラーカスタマイズモードにおいて、制御回路２００は、色調整再生画像を表示させるとともに、色調整画像データを用いて、全画素の輝度およびＲ，Ｇ，Ｂの各色のそれぞれについての度数分布を算出して、それぞれのヒストグラムを表示させる。さらに、拡大ボタン１０３が操作され色調整拡大再生画像の表示が指示されると、制御回路２００は色調整拡大画像の輝度、Ｒ，Ｇ，Ｂ各色のヒストグラムを生成して表示するようにした。したがって、ユーザは、再生画像のうちの所望する領域における色調整処理が施された状態を確認できるので、画像の編集等を行う際の利便性が向上する。
【００８５】
（３）制御回路２００は、原画像データをトリミング及びリサイズすることにより生成した拡大再生画像データを用いて、輝度、Ｒ，Ｇ，Ｂ各色のヒストグラムを作成するようにした。したがって、原画像データを用いてヒストグラムを作成する場合に比べて、ヒストグラム表示に要する処理時間を短縮できる。
【００８６】
以上で説明した実施の形態の電子カメラを、以下のように変形できる。
（１）輝度、Ｒ，Ｇ，Ｂ各色のヒストグラムと再生画像とを液晶モニタ２０５上の異なる表示領域に表示するものに代えて、輝度、Ｒ，Ｇ，Ｂ各色のヒストグラムを再生画像に重畳表示してもよい。
【００８７】
（２）ＲＧＢヒストグラム表示が設定されてから制御回路２００が原画像データを用いて輝度、Ｒ，Ｇ，Ｂ各色のヒストグラムを作成するものに代えて、原画像データを記録する時点で、予め輝度、Ｒ，Ｇ，Ｂ各色のヒストグラムの表示用データを作成し、原画像データと対応付けをして記録媒体２０７に記録するようにしてもよい。この場合、制御回路２００は、ＲＧＢヒストグラム表示が設定されたときに、記録媒体２０７に記録されたヒストグラムの表示用データを読み出して、液晶モニタ２０７に輝度、Ｒ，Ｇ，Ｂ各色のヒストグラムを表示すればよい。その結果、輝度、Ｒ，Ｇ，Ｂ各色のヒストグラム表示に要する処理時間を短縮できる。
【００８８】
（３）ＲＧＢヒストグラム表示が設定されている際に、拡大ボタン１０３が操作されると拡大再生画像および拡大再生画像のヒストグラムを表示するものに代えて、拡大再生画像表示中にＲＧＢヒストグラム表示が設定されたときに、拡大再生画像のヒストグラムを表示するようにしてもよい。
【００８９】
（４）制御回路２００は、拡大画像データを用いてヒストグラムを作成するものに代えて、原画像データのうち拡大率に対応した領域、すなわちトリミングされた画像データを用いてヒストグラムを作成してもよい。
【００９０】
（５）電子カメラ１でプログラムを実行して行なった処理を、パーソナルコンピュータ等の画像処理装置で実行することができる。この場合、画像処理装置のメモリのプログラム格納領域には、図７〜図９のフローチャートに基づくプログラムが予め記憶されている。
【００９１】
図７〜図９のフローチャートに示す処理を実行するプログラムのバージョンアップ時などにおいて、インターネット経由や可搬記録媒体を介して既存のユーザに対するサポートを実施する場合もあり得る。したがって、上記プログラムは、そのようなバージョンアップ用のソフトウエアに対しても適用できる。
【００９２】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【図面の簡単な説明】
【００９３】
【図１】本発明の実施の形態による電子カメラの外観図
【図２】実施の形態による電子カメラの要部構成部
【図３】実施の形態による電子カメラの制御系のブロック図
【図４】液晶モニタによる再生画像の表示の一例を示す図
【図５】ＲＧＢヒストグラム表示の一例を示す図
【図６】色編集画面の表示の一例を示す図
【図７】実施の形態による電子カメラの再生処理を説明するフローチャート
【図８】実施の形態による電子カメラの拡大再生処理を説明するフローチャート
【図９】実施の形態による電子カメラの色編集処理を説明するフローチャート
【符号の説明】
【００９４】
１０２  縮小ボタン、  １０３  拡大ボタン、  １０４  サブコマンドダイヤル、
２００  制御回路、  ２０５  液晶モニタ
【図１】
2010056621.tif 000003
【図２】
2010056621.tif 000004
【図３】
2010056621.tif 000005
【図４】
2010056621.tif 000006
【図５】
2010056621.tif 000007
【図６】
2010056621.tif 000008
【図７】
2010056621.tif 000009
【図８】
2010056621.tif 000010
【図９】
2010056621.tif 000011